(57)【要約】【課題】  支柱本体に取付用の孔を設ける必要がなく、中空な支柱本体の内部に水が浸入することがない手摺を提供する。【解決手段】  支柱本体７に肉厚部21を形成する。この肉厚部21の外面に支柱本体７の長さ方向に連続する凹部22を形成し、この凹部22の外面側にナット24が係止する係止部25，25を設け、凹部22内のナット24にビス26を固定して取付部材27を固定する。支柱本体７の外面に形成した凹部22にナット24を挿入し、このナット24に取付部材27を固定するから、支柱本体７に取付用の孔を穿設する必要がなく、該孔から中空な支柱本体７内への水の浸入を防止でき、しかも、支柱本体７への加工が不要で、取付作業性にも優れたものとなる。【選択図】  図３
2006118262.tif 000002
【特許請求の範囲】
【請求項１】
基礎に固定した支柱と、前記支柱間に設ける横桟と、この横桟を前記支柱に取り付ける取付部材とを備え、前記支柱は中空な支柱本体を有し、この支柱本体の側面に前記取付部材を取り付ける手摺において、前記支柱本体には、長さ方向に連続する肉厚部を形成し、外側から前記肉厚部内と固定される固定具により前記取付部材を前記支柱本体に取付けたことを特徴とする手摺。
【請求項２】
前記肉厚部の外面に前記支柱本体の長さ方向に連続する凹部を形成すると共に、この凹部の外面側に固定受具が係止する係止部を設け、前記凹部に挿入した前記固定受具に前記固定具を固定したことを特徴とする請求項１記載の手摺。
【請求項３】
前記固定具は前記肉厚部内に螺合する螺子部を有することを特徴とする請求項１記載の手摺。
【請求項４】
前記固定受具がボルトとナットの一方であることを特徴とする請求項２記載の手摺。
【請求項５】
前記支柱本体の先端を塞ぐ蓋体を備えることを特徴とする請求項１〜４のいずれか１項に記載の手摺。
【請求項６】
前記取付部材が、前記支柱本体の先端を塞ぐ蓋体であり、この蓋体に前記横桟を固定する固定手段を設けたことを特徴とする請求項１〜４のいずれか１項に記載の手摺。
【発明の詳細な説明】
【技術分野】
【０００１】
本発明は、建物の屋上や階段あるいはベランダやバルコニーに設ける手摺に関する。
【背景技術】
【０００２】
一般に建物の屋上やベランダなどには、落下を防止するための手摺が設けられている。これらの手摺の格子や支柱は、軽く且つ安価に製造するために、中空の筒状体からなる棒状部材が用いられている(例えば、特許文献１及び特許文献２参照)。
【特許文献１】特開昭５８−５５９号公報
【特許文献２】特開平１１−８１６０１号公報
【発明の開示】
【発明が解決しようとする課題】
【０００３】
しかし、このような中空の筒状体からなる棒状部材を格子又は支柱に用いた手摺には以下の問題がある。それは、格子、支柱及びその他の構成部材は、ビスなどによって手摺の状態に組み立てられるが、構成部材間の接合面及びビスのねじ穴などから、毛細管現象や風圧によって雨水等が筒状体の内部空間に浸入し、この浸入した水が気温が低くなると凍結し、筒状体を破裂させる場合があるということである。また、一般的に格子又は支柱の棒状部材としては、耐候性、成型容易性などの点を考慮して、アルミニウム製の筒状体の外面にアルマイト処理を施したものが普及しているが、筒状体の内面には特に腐食防止用の表面処理などが施されていないことが多い。このため、筒状体の内部空間に侵入した水によって内壁が腐食する。特に、海に近い地方では侵入した水に塩分が含まれるため、腐食が早い速度で進む。また、筒状体の底部に溜まった水によって、手摺を固定する溶接用アンカーが錆びるとともに、コンクリート躯体が劣化し、内部の鉄筋が腐食する。これにより、コンクリート躯体にひび割れが発生し、コンクリート躯体に植設される手摺の取付強度も著しく低下する。
【０００４】
本発明は、このような問題を解決しようとするもので、支柱本体に取付用の孔を設ける必要がなく、中空な支柱本体の内部に水が浸入することがない手摺を提供することを目的とする。
【課題を解決するための手段】
【０００５】
請求項１の発明は、基礎に固定した支柱と、前記支柱間に設ける横桟と、この横桟を前記支柱に取り付ける取付部材とを備え、前記支柱は中空な支柱本体を有し、この支柱本体の側面に前記取付部材を取り付ける手摺において、前記支柱本体には、長さ方向に連続する肉厚部を形成し、外側から前記肉厚部内と固定される固定具により前記取付部材を前記支柱本体に取付けたものである。
【０００６】
また、請求項２の発明は、前記肉厚部の外面に前記支柱本体の長さ方向に連続する凹部を形成すると共に、この凹部の外面側に固定受具が係止する係止部を設け、前記凹部に挿入した前記固定受具に前記固定具を固定したものである。
【０００７】
また、請求項３の発明は、前記固定具は前記肉厚部内に螺合する螺子部を有するものである。
【０００８】
また、請求項４の発明は、前記固定受具がボルトとナットの一方である。
【０００９】
また、請求項５の発明は、前記支柱本体の先端を塞ぐ蓋体を備えるものである。
【００１０】
また、請求項６の発明は、前記取付部材が、前記支柱本体の先端を塞ぐ蓋体であり、この蓋体に前記横桟を固定する固定手段を設けたものである。
【発明の効果】
【００１１】
請求項１の構成によれば、前記肉厚部内に固定する固定具により前記取付部材を取付けたから、固定具を支柱本体に挿通する必要がなく、したがって、取付用の孔が不要となり、該孔から中空な支柱本体内へ水が浸入することがない。
【００１２】
また、請求項２の構成によれば、支柱本体の外面に形成した凹部に固定具を挿入し、この固定具に取付部材を固定するから、支柱本体に取付用の孔を穿設する必要がなく、該孔から中空な支柱本体内へ水が浸入することがない。
【００１３】
また、請求項３の構成によれば、肉厚部に固定具の螺子部を螺合することにより、取付部材を簡便に固定することができる。
【００１４】
また、請求項４の構成によれば、凹部にボルト又はナットの一方を挿入し、これらに螺合するナット又はボルト類を用いて取付部材を簡便に固定することができる。
【００１５】
また、請求項５の構成によれば、中空な支柱本体の先端開口を蓋体により塞ぐことにより、該先端開口からの水の浸入を防止することができる。
【００１６】
また、請求項６の構成によれば、凹部や凹部に挿入した固定受具により蓋体を支柱本体に固定して該支柱本体の先端開口を塞ぎ、さらに、その蓋体により横桟を支柱に取り付けることができる。
【発明を実施するための最良の形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な手摺を採用することにより、従来にない手すりが得られ、その手摺を以下に記述する。
【実施例１】
【００１８】
以下、本発明の実施例を添付図面を参照して説明する。図１〜図９は本発明の実施例１を示し、同図において、１はコンクリート等の基礎２に間隔をおいて立設される手摺用支柱であり、この支柱１で長尺な上横桟３を支持している。また、支柱１の下部側には、前記上横桟３と平行に下横桟４が設けられている。この下横桟４で前記支柱１を連結し、これら上，下横桟３，４の間に複数の縦桟５を掛け渡して梯子型の手摺６を構成している。なお、手摺６を構成する支柱１の支柱本体７，上下各横桟３，４及び縦桟５は、全てアルミニウム合金の押出成型品であって、断面が円形又は角形の中空筒型に成型されている。
【００１９】
前記上横桟３は、前記支柱１の上端に架設する下枠部11と、この下枠部11に嵌合する上枠部12とを一体に備えた中空形状をなす。
【００２０】
図３に示すように、前記支柱１は、外面を構成する支柱本体７と、この支柱本体７が外嵌する鞘管８とからなる。この鞘管８は鋼製などの角パイプからなり、前記支柱本体８はアルミニウム合金の押出成型品であって、断面が略角形の中空筒型をなしている。尚、支柱１は、支柱本体７の下端より鞘館８の下端を突出しており、その支柱１の下部を前記基礎２に埋設固定している。
【００２１】
前記支柱本体７は、前記下横桟４を取付ける両側面の中央に、他の部分より肉厚な肉厚部21を形成し、この肉厚部21は長さ方向に連続形成されている。前記肉厚部21は、支柱本体７の内面側に突出して形成され、その肉厚部21の内部に、外面側に開口した凹部22を形成し、この凹部22はその外面側の開口23が狭く形成され、該開口23を挟む両側に固定受具たるナット24が係止する板状の係止部25，25が形成されている。そして、支柱本体７の一端側から凹部22内にナット24を挿入し、所定位置に配置した前記ナット24に、前記開口23を挿通したビス26が螺合する。そして、このビス26が固定具である。尚、ナット24は、例えば六角ナットが用いられ、前記凹部22に挿入可能かつ移動可能な大きさであり、さらに、外周が凹部22の側面に係合し、回り止め状態が得られる構成を備える。
【００２２】
前記下横桟４を支柱本体７に取り付ける取付部材27は、略Ｌ型形状をなし、その一片27Ａに孔28を穿設し、この孔28と前記開口23とを挿通したビス26を、前記ナット24に螺合し、一片27Ａを支柱本体７外面とビス26により締付固定し、他片27Ｂをほぼ平行に配置した状態で支柱１の側面に取付ける。その取付部材27の他片27Ｂに下横桟４の上面側を重ね、固定手段たる取付ビス29を下横桟４の孔４Ａに挿通すると共に、他片27Ｂのビス止め孔30に螺着することにより、取付部材27に下横桟４を固定する。尚、前記一片27Ａの中央には、前記開口23に係入する段部27Ｃが形成され、この段部27Ｃ部分に前記孔28Ａが穿設されており、取付状態において、前記段部27Ｃが前記開口23に係入することにより、１本のビス26により取付部材27が回り止め状態で支柱本体７に取付固定される。
【００２３】
前記支柱本体７の先端たる上部の開口には、蓋体31が設けられ、この蓋体31は前記上部の開口を覆う蓋部32と前記支柱本体７の側面に外嵌する四方の側板部33とを一体に備え、アルミニウム合金等からなり、前記上部開口を塞ぐ。
【００２４】
前記上横桟４を支柱本体７に取り付ける取付部材37は、略Ｌ型形状をなし、その一片37Ａ及び他片37Ｂに複数の孔38及び孔38Ａを穿設し、その孔38と前記開口23とを挿通したビス26を、ナット24に螺合し、一片37Ａを支柱本体８外面とビス26により締付固定し、他片37Ｂをほぼ平行に配置した状態で支柱１の側面に取付ける。その他片37Ｂの上に前記下枠部11を載置し、固定手段たる上横桟取付ビス39を他片37Ｂの孔38Ａに挿通し、取付ビス39を下枠部11に螺合し、これにより支柱１に下枠部11を固定し、この下枠部11に上枠部12を外嵌して上横桟３を組み立てる。尚、前記取付部材37の一片37Ａの内面上部には、前記蓋体31の側板部33の厚さに対応して、段差状凹部40が形成されている。尚、この取付部材37にも、開口23に係入する段部27Ｃを設けることができる。
【００２５】
このように本実施例では、請求項１に対応して、基礎２に固定した支柱１と、支柱１間に設ける横桟たる下横桟４と、この下横桟４を支柱１に取り付ける取付部材27とを備え、支柱１は中空な支柱本体７を有し、この支柱本体７の側面に取付部材27を取り付ける手摺６において、支柱本体７には、長さ方向に連続する肉厚部21を形成し、外側から肉厚部21内と固定される固定具たるビス26により取付部材27を支柱本体７に取付け、また、支柱１間に設ける横桟たる上横桟３とを備え、支柱本体７には、長さ方向に連続する肉厚部21を形成し、外側から肉厚部21内と固定される固定具たるビス26により取付部材37を支柱本体７に取付けたから、ビス26を支柱本体７に挿通する必要がなく、従来のような取付用の孔が不要となり、該孔から中空な支柱本体７内への水の浸入を防止できる。また、肉厚部21は部分的に形成されるから、材料費の比較的安価で済む。
【００２６】
また、このように本実施例では、請求項２に対応して、肉厚部21の外面に支柱本体７の長さ方向に連続する凹部22を形成すると共に、この凹部22の外面側に固定受具たるナット24が係止する係止部25，25を設け、凹部22に挿入したナット24に固定具たるビス26を固定したから、支柱本体７の外面に形成した凹部22にナット24を挿入し、このナット24に取付部材27を固定するから、支柱本体７に取付用の孔を穿設する必要がなく、該孔から中空な支柱本体７内への水の浸入を防止でき、しかも、支柱本体７への加工が不要で、取付作業性にも優れたものとなる。
【００２７】
また、このように本実施例では、請求項４に対応して、固定受具がボルトとナットの一方であり、この例ではナット24であるから、凹部22にナット24を挿入し、このナット24に螺合するビス26を用いて取付部材27を簡便に固定することができる。
【００２８】
また、このように本実施例では、請求項５に対応して、支柱本体７の先端を塞ぐ蓋体31を備えるから、中空な支柱本体７の先端開口を蓋体31により塞ぐことにより、該先端開口からの水の浸入を防止することができる。
【００２９】
また、実施例上の効果として、開口23の両側に係止部25，25があるから、ナット24などが係止部25，25に当接して安定した固定構造が得れる。また、蓋体31は側板部33を有するから、側板部33を支柱本体７の上部に外嵌することにより、取り付けが容易で、高い水密性を得ることができる。
【実施例２】
【００３０】
図１０〜図１２は本発明の実施例２を示し、上記各実施例と同一部分に同一符号を付し、その詳細な説明を省略して詳述すると、この例では、前記上横桟３は、前記支柱１の上端に架設する下枠部11と、この下枠部11に嵌合する上枠部12とを別体で備え、前記下枠部12は、両側に係合受け部13，13が一体に突設され、また、前記上枠部12は下方が開口した略コ字形をなし、この上枠部12の両端には、前記係合受け部13に弾発的に係止する係合部14が形成されており、前記下枠部11の上方から前記上枠部12を外嵌するようにして前記係合受け部13に前記係合部14を係止することにより、前記下枠部11に上枠部12を固定できるようになっている。
【００３１】
また、取付部材として蓋体31Ａを用いており、この蓋体31Ａは、実施例１に比べて側板部33を長く形成し、側板部33に孔41を形成し、蓋体31Ａを支柱本体７の上部に外嵌した状態で、前記孔41に挿通したビス26を、凹部22内のナット24に螺合することにより、支柱本体７に蓋体31Ａを固定している。また、この蓋体31Ａの蓋部32の上には、固定手段たる雄ネジ42を一体に突設しており、この雄ネジ42に対応して、前記下枠部11に孔43を穿設し、この孔43に挿通した雄ネジ42に、ナット44を螺合することにより、支柱本体７に下枠部11を固定する。
【００３２】
このように本実施例では、請求項１，２，４，５に対応して、上記実施例１と同様な作用・効果を奏する。
【００３３】
また、このように本実施例では、請求項６に対応して、取付部材が、支柱本体７の先端を塞ぐ蓋体31Ａであり、この蓋体31Ａに上横桟３を固定する固定手段たる雄ネジ42を設けたから、凹部22や凹部22に挿入した固定受具たるナット24により蓋体31Ａを支柱本体７に固定して該支柱本体７の先端開口を塞ぎ、さらに、その蓋体31Ａにより上横桟３を支柱１に取り付けることができる。
【実施例３】
【００３４】
図１３は本発明の実施例３を示し、上記各実施例と同一部分に同一符号を付し、その詳細な説明を省略して詳述すると、この例では、支柱本体７の側面に、二個所の凹部22，22を形成した例であり、１つの取付部材27，37を２箇所以上で固定することができる。また、それら凹部22，22を用いて蓋体31，31Ａを取り付けることができる。
【００３５】
このように本実施例では、支柱本体７の側面に複数の凹部22，22を設けることにより、取付部材27，37を複数箇所で支柱本体７に固定することができ、回り止め状態で強固に固定することができる。
【実施例４】
【００３６】
図１４は本発明の実施例４を示し、上記各実施例と同一部分に同一符号を付し、その詳細な説明を省略して詳述すると、この例では、支柱本体７の側面にそれぞれ凹部22を形成した例であり、両側に下横桟４，４を連結する場合、基礎２への取付け時に支柱１の向きを気にする必要がなく、施工が容易で、また、図１４に示すように、交差方向に上，下横桟３，４を支柱１に取り付ける場合にも使用でき、汎用性の高いものとなる。また、それら凹部22，22を用いて蓋体31，31Ａを取り付けることができる。
【実施例５】
【００３７】
図１５は本発明の実施例５を示し、上記各実施例と同一部分に同一符号を付し、その詳細な説明を省略して詳述すると、この例では、支柱１は、支柱本体７が断面略円形であり、その断面略円形の支柱本体７の対向する位置に、前記凹部22，22を形成しており、このように支柱１の支柱本体７は、角形に限らず、円形や楕円形などの支柱本体７にもよい。
【実施例６】
【００３８】
図１６は本発明の実施例６を示し、上記各実施例と同一部分に同一符号を付し、その詳細な説明を省略して詳述すると、この例では、ボルト46が固定受具であり、そのボルト46の六角形の頭部46Ａを前記凹部22に挿入し、そのボルト46を孔28，38に挿通し、該ボルト46にナット24を螺合することにより、支柱本体７に取付部材27，37又は蓋体31，31Ａを支柱本体７に固定する。
【００３９】
このように本実施例では、請求項４に対応して、固定受具がボルトとナットの一方であり、この例ではボルト46であるから、凹部22にボルト46の頭部46Ａを挿入し、このボルト46に螺合するナット44を用いて取付部材27，37を簡便に固定することができ、また、各請求項に対応して、上記各実施例と同様な作用・効果を奏する。
【実施例７】
【００４０】
図１７は本発明の実施例７を示し、上記各実施例と同一部分に同一符号を付し、その詳細な説明を省略して詳述すると、この例では、凹部22を設けることなく、肉厚部21の雌螺子孔51に螺合したビス52により、支柱本体７に取付部材27，37又は蓋体31，31Ａを固定する。この場合、雌螺子孔51は、肉厚部21により支柱本体７の内部と分離されている。その雌螺子孔51は、肉厚部21に予め形成してもよいし、図１７に示すように、肉厚部21に、螺子部のない案内孔53を設け、この案内孔53にビス52を螺合する際に雌螺子が形成されてもよく、あるいは、ビス52の螺合により形成されてもよく、いずれにしても、孔51と支柱本体７の内部とは連通することはない。
【００４１】
尚、孔51は、支柱本体７の全長にはなく、ビス52が螺合する部分のみに形成されている。
【００４２】
このように本実施例では、請求項１に対応して、基礎２に固定した支柱１と、支柱１間に設ける横桟たる下横桟４と、この下横桟４を支柱１に取り付ける取付部材27とを備え、支柱１は中空な支柱本体７を有し、この支柱本体７の側面に取付部材27を取り付ける手摺６において、支柱本体７には、長さ方向に連続する肉厚部21を形成し、外側から肉厚部21内と固定される固定具たるビス52により取付部材27を支柱本体７に取付けたから、また、支柱１間に設ける横桟たる上横桟３とを備え、支柱本体７には、長さ方向に連続する肉厚部21を形成し、外側から肉厚部21内と固定される固定具たるビス52により取付部材37を支柱本体７に取付けたから、ビス52を支柱本体７に挿通する必要がなく、ビス52が肉厚部21内に螺合するから、ビス箇所において、支柱本体７内への水が浸入することがない。
【００４３】
以上、本発明の実施例について詳述したが、本発明は前記実施例に限定されるものではなく、本発明の要旨の範囲内で種々の変形実施が可能である。例えば、実施例では、取付部材を横桟と別体にして設けたが、横桟に取付部材を一体に設け、この取付部材を支柱本体に取り付けるようにしてもよい。また、蓋体の材質は適宜選定可能であるが、アルニウム合金やステンレスなどの防錆性に優れた材料や、防錆加工を施した鋼鉄製などとすることが好ましい。尚、取付部材には、段部27Ｃを必ずしも設ける必要はなく、段部のない取付部材は構成が簡略化される。
【図面の簡単な説明】
【００４４】
【図１】本発明の実施例１を示す一部を断面にした支柱の側面図である。
【図２】同上、一部を断面にした手摺の正面図である。
【図３】同上、一部を断面にした支柱周りの平断面図である。
【図４】同上、支柱本体の平面図である。
【図５】同上、支柱周りの縦断面図である。
【図６】同上、取付部材の斜視図である。
【図７】同上、一部を断面にした手摺先端側の正面図である。
【図８】同上、支柱先端側の断面図である。
【図９】同上、蓋体の斜視図である。
【図１０】本発明の実施例２を示す支柱先端側の正面図である。
【図１１】同上、支柱先端側の断面図である。
【図１２】同上、蓋体の斜視図である。
【図１３】本発明の実施例３を示す支柱本体の平面図である。
【図１４】本発明の実施例４を示す支柱本体の平面図である。
【図１５】本発明の実施例５を示す支柱本体の平面図である。
【図１６】本発明の実施例６を示す支柱本体の平面図である。
【図１７】本発明の実施例７を示す支柱本体の平断面図である。
【符号の説明】
【００４５】
１  手摺用支柱
２  基礎
３  上横桟（横桟）
４  下横桟（横桟）
６  手摺
７  支柱本体
21  肉厚部
22  凹部
23  開口
24  ナット（固定受具）
25  係止部
26  ビス（固定具）
27  取付部材
31，31Ａ  蓋体
37  取付部材
42  雄ネジ（固定手段）
46  ボルト（固定受具）
52  ビス（固定具）
【図１】
2006118262.tif 000003
【図２】
2006118262.tif 000004
【図３】
2006118262.tif 000005
【図４】
2006118262.tif 000006
【図５】
2006118262.tif 000007
【図６】
2006118262.tif 000008
【図７】
2006118262.tif 000009
【図８】
2006118262.tif 000010
【図９】
2006118262.tif 000011
【図１０】
2006118262.tif 000012
【図１１】
2006118262.tif 000013
【図１２】
2006118262.tif 000014
【図１３】
2006118262.tif 000015
【図１４】
2006118262.tif 000016
【図１５】
2006118262.tif 000017
【図１６】
2006118262.tif 000018
【図１７】
2006118262.tif 000019